(57)【要約】【課題】エレベータの利用客に対応したアナウンスを報知することにより、利用者に情報内容を良く理解してもらうことができるエレベータの報知装置を得る。【解決手段】エレベータかご１２内又は乗場に設けられ、乗客に対しアナウンスするものにおいて、乗客に対しアナウンスする指令信号を発生する案内指令手段２１と、アナウンスに関する情報を複数の言語毎に記憶する記憶手段３２と、指令信号に基づいて記憶手段からアナウンスに関する情報を読み出して、複数の携帯端末に対しそれぞれ異なる言語毎のアナウンスとして送信するアナウンス制御手段３３とを備える。【選択図】図３
2007168957.tif 000002
【特許請求の範囲】
【請求項１】
エレベータかご内又は乗場に設けられ、乗客に対しアナウンスするエレベータの報知装置において、
乗客に対しアナウンスする指令信号を発生する案内指令手段と、
前記アナウンスに関する情報を複数の言語毎に記憶する記憶手段と、
前記指令信号に基づいて前記記憶手段からアナウンスに関する情報を読み出して、複数の携帯端末に対しそれぞれ異なる言語毎のアナウンスとして送信するアナウンス制御手段と、
を備えたことを特徴とするエレベータの報知装置。
【請求項２】
エレベータかご内又は乗場に設けられ、乗客に対しアナウンスするエレベータの報知装置において、
乗客に対しアナウンスする指令信号を発生する案内指令手段と、
前記アナウンスに関する情報を複数の言語毎に記憶する記憶手段と、
管理者用情報入力装置からの操作により、前記記憶手段に複数の言語毎のアナウンスを登録するアナウンス登録手段と、
前記指令信号に基づいて前記記憶手段からアナウンスに関する情報を読み出して、複数の携帯端末に対しそれぞれ異なる言語毎のアナウンスとして送信するアナウンス制御手段と、
を備えたことを特徴とするエレベータの報知装置。
【請求項３】
エレベータかご内又は乗場に設けられ、乗客に対しアナウンスするエレベータの報知装置において、
乗客に対しアナウンスする指令信号を発生する案内指令手段と、
前記アナウンスに関する情報を複数の言語毎に記憶する記憶手段と、
管理者用情報入力装置からの操作により、前記記憶手段に複数の言語毎のアナウンスを登録するアナウンス登録手段と、
前記指令信号に基づいて前記記憶手段からアナウンスに関する情報を読み出し、それぞれ異なる言語毎のアナウンスとして送信するアナウンス制御手段と、
前記アナウンス制御手段から送信されたアナウンス情報を複数の携帯端末に対しそれぞれ異なる言語毎のアナウンス情報として送信するアナウンス出力手段と、
を備えたことを特徴とするエレベータの報知装置。
【請求項４】
アナウンス出力手段は、アナウンス情報のメッセージを信号変換して、周波数変調したデータを出力することを特徴とする請求項３記載のエレベータの報知装置。
【請求項５】
アナウンス出力手段から送信された周波数変調された出力データを受信する複数の形態端末が、それぞれ高周波受信又は低周波受信し信号変換してからメッセージ表示することを特徴とする請求項４記載のエレベータの報知装置。
【発明の詳細な説明】
【技術分野】
【０００１】
この発明は、エレベータの報知装置に関するものである。
【背景技術】
【０００２】
従来、呼びに応答して各階を昇降するかごの運転に応じて利用客に案内文を報知するのエレベータの報知装置においては、階毎に案内文の言語種別が記録された言語種別記録手段と、案内文が言語種別毎に記録された案内文記録手段と、かごが応答する階の言語種別を言語種別記録手段から選択する言語種別選択手段と、この言語種別選択手段によって選択された言語種別の案内文をかごの運転に応じて案内文記録手段から選択する案内文選択手段とを備え、更に、選択された複数の案内文を同時に報知するように編集する同時報知編集手段を設け、この同時報知編集手段によって編集された案内文をかごの運転に応じて利用客に報知するようにしたものがある（例えば、特許文献１参照）。
【０００３】
このような報知装置によれば、内国人及び外国人の区別なく報知内容を理解することができる。特に、呼びが登録された階と、この階で使用される言語とを関連させたので、通常の建物で広く使用されるエレベータに用いることができるとともに、利用者に特別の操作を強いることもないので、汎用性に富む。このものにあっても、同様に、異なる言語の利用者がかごに乗り合わせたとしても案内報知を理解させることができる。
【０００４】
【特許文献１】特開２００４−３５１３１号公報
【発明の開示】
【発明が解決しようとする課題】
【０００５】
しかし、従来のエレベータの報知装置では、エレベータの利用客に対して、一斉に複数のアナウンスをする。このため、ややもすると利用客が該アナウンスを聞き取りにくいという問題点があった。
【０００６】
この発明は、上述のような課題を解決するためになされたもので、エレベータの利用客に対応したアナウンスを報知することにより、利用者に情報内容を良く理解してもらうことができるエレベータの報知装置を提供するものである。
【課題を解決するための手段】
【０００７】
この発明に係るエレベータの報知装置においては、エレベータかご内又は乗場に設けられ、乗客に対しアナウンスするものにおいて、乗客に対しアナウンスする指令信号を発生する案内指令手段と、アナウンスに関する情報を複数の言語毎に記憶する記憶手段と、指令信号に基づいて記憶手段からアナウンスに関する情報を読み出して、複数の携帯端末に対しそれぞれ異なる言語毎のアナウンスとして送信するアナウンス制御手段とを備えた
ものである。
【発明の効果】
【０００８】
この発明によれば、エレベータかご内又は乗場に設けられ、乗客に対しアナウンスするものにおいて、乗客に対しアナウンスする指令信号を発生する案内指令手段と、アナウンスに関する情報を複数の言語毎に記憶する記憶手段と、指令信号に基づいて記憶手段からアナウンスに関する情報を読み出して、複数の携帯端末に対しそれぞれ異なる言語毎のアナウンスとして送信するアナウンス制御手段とを備えたので、エレベータの利用客に対応したアナウンスを報知することにより、利用者に情報内容を良く理解してもらうことができる。
【発明を実施するための最良の形態】
【０００９】
実施の形態１．
図１はこの発明の実施の形態１におけるエレベータの報知装置を示すシステム構成図、図２はこの発明の実施の形態１におけるエレベータの報知装置のかごアナウンス装置を示すブロック構成図、図３はこの発明の実施の形態１におけるエレベータの報知装置を示す全体ブロック図、図４はこの発明の実施の形態１におけるエレベータの報知装置の出力系統を示すブロック図、図５はこの発明の実施の形態１におけるエレベータの報知装置の携帯端末の表示画面例を示す斜視図である。
【００１０】
図１において、１１はかごアナウンス装置、１２はエレベータかご、１３はデータ記憶装置、１４はエレベータ制御盤、１５は管理者用情報入力装置、１６は第１の携帯端末Ａ、１７は第２の携帯端末Ｂ、１８は第１の携帯端末Ａ用の信号Ｘ、１９は第２の携帯端末Ｂ用の信号Ｙである。
上記かごアナウンス装置１１は、データ記憶装置１３を持っており、あらかじめ想定される、階床、管制運転などエレベータに関するメッセージや、管理者用情報入力装置１５を用いて催し物案内など、ビル情報に関するメッセージを記憶している。そこに、エレベータ制御盤１４から信号を受けると、エレベータかご１２内に、かごアナウンス装置１１から送信される第１の携帯端末用の信号１８、かごアナウンス装置１１から送信される第２の携帯端末用の信号１９を送信する。そして、エレベータかご１２内でそれぞれ第１の携帯端末１６、第２の携帯端末１７で受信する。
【００１１】
図２において、１１はかごアナウンス装置、１２はエレベータかご、１３はデータ記憶装置、１４はエレベータ制御盤、２１はかごアナウンス装置１１の制御装置で、乗客に対しアナウンスする指令信号を発生する案内指令手段である。２２はデータ記憶装置１３の第１のデータ記憶装置、２３はデータ記憶装置１３の第２のデータ記憶装置、２４はかごアナウンス装置１１の出力装置である。
図２において、上記かごアナウンス装置１１は、エレベータ制御盤１４から、かごアナウンス装置の案内指令手段である制御装置２１が信号を受けると、かごアナウンス装置のデータ記憶装置１３のうち、第１のデータ記憶装置２２内にあって、そこに記憶されたメッセージ２２ａ〜２２ｎや、第２のデータ記憶装置２３内にあって、そこに記憶されたメッセージ２３ａ〜２３ｎを取り出し、かごアナウンス装置の出力装置２４から、エレベータかご１２へ信号を送る指令信号を発生する。
【００１２】
図３において、１１はかごアナウンス装置、１４はエレベータ制御盤、１５は管理者用情報入力装置、１６は第１の携帯端末Ａ、１７は第２の携帯端末Ｂ、３１はかごアナウンス装置１１のかごアナウンス登録手段、３２はかごアナウンス装置１１の記憶手段、３３はかごアナウンス装置１１のかごアナウンス制御手段、３４はかごアナウンス装置１１のかごアナウンス出力手段である。
図３において、管理者用情報入力装置１５から、かごアナウンス装置１１内の、かごアナウンス登録手段３１により、記憶手段３２にメッセージが記憶される。そこに、エレベータ制御盤１４から、かごアナウンス制御手段３３にエレベータ情報が出力されると、かごアナウンス出力手段３４から、第１の携帯端末１６、第２の携帯端末１７に情報が送られる。記憶手段３２には、エレベータ用アナウンスと、ビル用アナウンスがあり、それぞれ日本語アナウンス、中国語アナウンス、英語アナウンスを記憶している。
【００１３】
図４において、１６は第１の携帯端末Ａ、１７は第２の携帯端末Ｂ、３４はかごアナウンス出力手段である。
図４において、かごアナウンス出力手段３４では、メッセージ３４ａを信号変換３４ｂして、変調３４ｃしたデータを出力する。出力された信号は、第１の携帯端末１６、第２の携帯端末１７に情報が送られる。情報を受け取った第１の携帯端末１６は、低周波のみ受信１６ａし、信号変換１６ｂして、メッセージを表示１６ｃする。それと同時に、第２の携帯端末１７は、高周波のみ受信１７ａし、信号変換１７ｂして、メッセージを表示１７ｃする。
【００１４】
上記のように構成されたエレベータの報知装置の動作について説明する。今、図１に示すように、エレベータかご１２に、第１の携帯端末Ａを持ったかご乗客６１と、第２の携帯端末Ｂを持ったかご乗客６２が乗り合わせている場合を例にとり、説明を行う。  
図１において、エレベータが５階に到着したとき、エレベータ制御盤１４から、かごアナウンス装置の制御装置２１に、エレベータの階床データ（５階）が伝送される。すると、あらかじめデータ記憶装置１３に登録されていた階床案内メッセージデータと、管理者用情報入力装置１５によりデータ記憶装置１３に登録されていたビル情報のメッセージデータが、かごアナウンス装置の制御装置２１により、第１の携帯端末Ａ用の信号Ｘ１８と、第２の携帯端末Ｂ用の信号Ｙ１９として出力される。出力された信号は、第１の携帯端末Ａを持ったかご乗客６１と、第２の携帯端末Ｂを持ったかご乗客６２に情報として提供される。第１の携帯端末Ａを持ったかご乗客６１が日本人、第２の携帯端末Ｂを持ったかご乗客６２がイギリス人だとすると、図５に示すように、第１の携帯端末Ａ１６には、「５階です。○○バーゲン開催中！！」と表示され、また第２の携帯端末Ｂ１７には、「Five  floor.  Now  on  sale！！」などと表示される。これにより、日本人及び英国人に理解しやすい報知を行うことができる。
【００１５】
この実施の形態１によれば、内国人及び外国人にそれぞれ異なるアナウンスを送信し、送信したアナウンスを各携帯端末から報知することにより、利用者に情報内容を良く理解してもらうことができる。
【００１６】
実施の形態２．
上記実施の形態１では、かごアナウンス装置１１からエレベータかご１２内の乗客に送信する場合について説明したが、乗場に乗場アナウンス装置を設け、乗場アナウンス装置から乗場の乗客に送信するようにしても良いことはもちろんである。
【図面の簡単な説明】
【００１７】
【図１】この発明の実施の形態１におけるエレベータの報知装置を示すシステム構成図である。
【図２】この発明の実施の形態１におけるエレベータの報知装置のかごアナウンス装置を示すブロック構成図である。
【図３】この発明の実施の形態１におけるエレベータの報知装置を示す全体ブロック図である。
【図４】この発明の実施の形態１におけるエレベータの報知装置の出力系統を示すブロック図である。
【図５】この発明の実施の形態１におけるエレベータの報知装置の携帯端末の表示画面例を示す斜視図である。
【符号の説明】
【００１８】
１１  かごアナウンス装置
１２  エレベータかご
１３  データ記憶装置
１４  エレベータ制御盤
１５  管理者用情報入力装置
１６  第１の携帯端末Ａ
１７  第２の携帯端末Ｂ
１８  第１の携帯端末Ａ用の信号Ｘ
１９  第２の携帯端末Ｂ用の信号Ｙ
２１  制御装置（案内指令手段）
２２  第１のデータ記憶装置
２２ａ〜２２ｎ  メッセージ
２３  第２のデータ記憶装置
２３ａ〜２３ｎ  メッセージ
２４  出力装置
３１  かごアナウンス登録装置
３２  記憶手段
３３  かごアナウンス制御手段
３４  かごアナウンス出力手段
【図１】
2007168957.tif 000003
【図２】
2007168957.tif 000004
【図３】
2007168957.tif 000005
【図４】
2007168957.tif 000006
【図５】
2007168957.tif 000007